(57)【要約】【課題】画像不良が、スコロトロン方式の帯電器に起因するか否か、帯電器が原因ならば帯電ワイヤに起因するかグリッドワイヤに起因するか否かを的確に特定する。【解決手段】事前の検討により、一次電流が１３００μＡでグリッドバイアスが５００Ｖの場合（Ａ設定）と、一次電流が７００μＡでグリッドバイアスが９００Ｖの場合（Ｂ設定）はともにドラム電位が４００Ｖになることが分かっている。これを利用して、Ａ３サイズの前半半分をＡ設定で、また後半半分をＢ設定でハーフトーン画像を形成する（Ｓ１）。Ａ設定とＢ設定とでスジの発生を比較し、Ａ＝Ｂの場合は帯電器以外が原因、Ａ＞Ｂの場合はグリッドワイヤ１２が原因、Ａ＜Ｂの場合は帯電ワイヤが原因であると特定される。【選択図】      図４
2004205847.tif 000002
【特許請求の範囲】
【請求項１】
帯電手段によって像担持体表面を一様に帯電し、帯電後の前記像担持体表面を露光手段によって露光して静電潜像を形成し、前記静電潜像を現像手段によってトナー像として現像する画像形成装置において、
前記帯電手段は、帯電ワイヤとグリッドワイヤとを有するスコロトロン方式の帯電器であり、前記帯電器は、前記帯電ワイヤに流す一次電流と前記グリッドワイヤに印加するグリッドバイアスとについて、前記像担持体の表面電位を一定にするための前記一次電流と前記グリッドバイアスとの２種類以上の組み合わせを出力可能である、
ことを特徴とする画像形成装置。
【請求項２】
前記一次電流と前記グリッドバイアスとの２種類以上の組み合わせによって、同一の転写材上にトナー像を形成することができる、
ことを特徴とする請求項１に記載の画像形成装置。
【請求項３】
前記一次電流と前記グリッドバイアスとの２種類以上の組み合わせによってトナー像が形成された転写材のトナー像を読み取る入力装置を備え、
前記入力装置の読み取り結果に基づいて、前記一次電流と前記グリッドバイアスとのうちの少なくとも一方を自動調整する、
ことを特徴とする請求項１又は２に記載の画像形成装置。
【請求項４】
前記入力装置の読み取り結果を画像形成装置本体外部に送信し、外部で画像データを解析し、その解析結果に基づいて、前記一次電流と前記グリッドバイアスとのうちの少なくとも一方を外部から調整する、
ことを特徴とする請求項３に記載の画像形成装置。
【請求項５】
前記解析結果から、異常がなく何も処置しなかった場合、異常があり前記一次電流と前記グリッドバイアスとのうちの少なくとも一方を調整した場合、異常があるが前記帯電器以外が原因であり何も処置しなかった場合のそれぞれの不具合のレベルを識別する情報や必要な処置を、ユーザ又はサービスマンに通知する、
ことを特徴とする請求項４に記載の画像形成装置。
【発明の詳細な説明】
【０００１】
【発明の属する技術分野】
本発明は、スコロトロン帯電器を用いて感光体などの像担持体表面を帯電するプリンタ，複写機，ファクシミリ等の画像形成装置に関する。
【０００２】
【従来の技術】
従来、プリンタ，複写機，ファクシミリ等の画像形成装置において、画像上に許容できないレベルのスジ状の不具合が発生した場合、ユーザが装置を止めてサービスマンを呼び、サービスマンは画像の状態から不具合があると想定される構成部品を交換し、どの構成部品が原因かを切り分け、その不具合がスコロトロン帯電器であった場合、目視にてその原因が帯電ワイヤかグリッドワイヤかを切り分け、対処していた。
【０００３】
【発明が解決しようとする課題】
しかしながら、構成部品の交換による不具合発生場所の特定は、まずサービスマンが想定される交換部品をすべて準備し、順次に部品を交換しながらその都度、画像を出力して原因を特定する必要がある。
【０００４】
したがって、サービスマンの手間がかかり、紙などの転写材も大量に消費してしまう。さらに、帯電器の帯電ワイヤかグリッドワイヤかの切り分けは目視で行うことによる作業の曖昧さと、目視をするために帯電器を画像形成装置本体から取り出すことにより、新たにゴミの付着などによる不具合を引き起こしてしまうことがあった。さらには、ユーザが画像にスジ状の不具合を発見してから、サービスマンが現地に赴き画像形成装置を回復させるまでのダウンタイムが長いという問題があった。
【０００５】
そこで本発明は、画像の不具合がスコロトロン帯電器によるものか、さらには帯電ワイヤによるものか、グリッドワイヤによるものかを少ない出力画像から的確に判断し、軽度のスジならばサービスマンが現地に赴かずに自動調整をすることで画像上のスジを軽減し、ダウンタイムを減らすことができる画像形成装置を提供することを目的とするものである。
【０００６】
【課題を解決するための手段】
請求項１に係る発明は、帯電手段によって像担持体表面を一様に帯電し、帯電後の前記像担持体表面を露光手段によって露光して静電潜像を形成し、前記静電潜像を現像手段によってトナー像として現像する画像形成装置において、前記帯電手段は、帯電ワイヤとグリッドワイヤとを有するスコロトロン方式の帯電器であり、前記帯電器は、前記帯電ワイヤに流す一次電流と前記グリッドワイヤに印加するグリッドバイアスとについて、前記像担持体の表面電位を一定にするための前記一次電流と前記グリッドバイアスとの２種類以上の組み合わせを出力可能である、ことを特徴とする。
【０００７】
請求項２に係る発明は、請求項１に記載の画像形成装置において、前記一次電流と前記グリッドバイアスとの２種類以上の組み合わせによって、同一の転写材上にトナー像を形成することができる、ことを特徴とする。
【０００８】
請求項３に係る発明は、請求項１又は２に記載の画像形成装置において、前記一次電流と前記グリッドバイアスとの２種類以上の組み合わせによってトナー像が形成された転写材のトナー像を読み取る入力装置を備え、前記入力装置の読み取り結果に基づいて、前記一次電流と前記グリッドバイアスとのうちの少なくとも一方を自動調整する、ことを特徴とする。
【０００９】
請求項４に係る発明は、請求項３に記載の画像形成装置において、前記入力装置の読み取り結果を画像形成装置本体外部に送信し、外部で画像データを解析し、その解析結果に基づいて、前記一次電流と前記グリッドバイアスとのうちの少なくとも一方を外部から調整する、ことを特徴とする。
【００１０】
請求項５に係る発明は、請求項４に記載の画像形成装置において、前記解析結果から、異常がなく何も処置しなかった場合、異常があり前記一次電流と前記グリッドバイアスとのうちの少なくとも一方を調整した場合、異常があるが前記帯電器以外が原因であり何も処置しなかった場合のそれぞれの不具合のレベルを識別する情報や必要な処置を、ユーザ又はサービスマンに通知する、ことを特徴とする。
【００１１】
【発明の実施の形態】
以下、図面に沿って、本発明の実施の形態について説明する。なお、各図面において同一の符号を付したものは、同一の構成又は作用をなすものであり、これらについての重複説明は適宜省略した。
【００１２】
＜実施の形態１＞
図１に、本発明に係る画像形成装置の一例として、実施の形態１に係る画像形成装置を示す。同図に示す画像形成装置は、電子写真方式の画像形成装置であり、同図はその主要部の概略構成を模式的に示す縦断面図である。
【００１３】
同図に示す画像形成装置は、像担持体としてドラム型の電子写真感光体（以下「感光ドラム」という。）を備えている。感光ドラム１は、画像形成装置本体（不図示）によって矢印Ｒ１方向に回転可能に支持されている。
【００１４】
感光ドラム１の周囲には、その回転方向に沿ってほぼ順に、一次帯電器（帯電手段）２、露光装置（露光手段）３、現像装置（現像手段）４、転写帯電器（転写手段）５、分離帯電器（分離手段）６、クリーニング装置（クリーニング手段）７、前露光器（前露光手段）８が配設されている。
【００１５】
上述の画像形成装置において、画像形成時には、感光ドラム１は、駆動手段（不図示）によって矢印Ｒ１方向に所定のプロセススピード（周速度）で回転駆動される。
【００１６】
感光ドラム１表面は、一次帯電器２によって所定の極性・電位に一様に（均一に）帯電される。帯電後の感光ドラム１表面は、露光装置３によって画像情報に基づいた光照射がなされ、照射部分の電荷が除去されて静電潜像が形成される。この静電潜像は、現像装置４によってトナーが付着されトナー像として現像される。現像剤としては、例えば、非磁性一成分現像剤を使用することができる。
【００１７】
こうして感光ドラム１上に形成されたトナー像は、感光ドラム１の矢印Ｒ１方向に回転によって感光ドラム１と転写帯電器５との間の転写部Ｔに到達する。このトナー像にタイミングをあわせるようにして、転写材Ｐ（例えば、紙、透明フィルム）が転写部Ｔに供給され、トナー像と逆極性の転写バイアスが印加された転写帯電器５により、感光ドラム１と転写帯電器５間に発生する静電力によって感光ドラム１上のトナー像が転写材Ｐに転写される。
【００１８】
トナー像転写後の転写材Ｐは、分離バイアスが印加された分離帯電器６によって、感光ドラム１から分離されて定着装置（不図示）に搬送される。定着装置に搬送された転写材Ｐは、定着ローラと加圧ローラ（いずれも不図示）との間を通過する際に加熱・加圧されて表面にトナー像が定着されて、画像形成装置外部に排出される。
【００１９】
一方、トナー像転写後の感光ドラム１は、上述の転写時に転写材Ｐに転写されないで表面に残った転写残トナーがクリーニング装置７によって除去され、さらに表面に残った電荷が前露光器８によって除去され、次の画像形成に供される。
【００２０】
上述の感光ドラム１の帯電方式は大きく接触式と非接触式に分かれる。高速に出力を行うものや高耐久性を必要とされる画像形成装置においては非接触式が用いられる場合が多い。非接触の帯電方式の多くはスコロトロン方式の帯電器である。
【００２１】
本実施の形態においては、上述の一次帯電器２（以下適宜「帯電器２」という。）が、スコロトロン方式の帯電器である。
【００２２】
図２は、帯電器２の断面図である。この断面図は、感光ドラム１の軸方向（以下、帯電器２の「長手方向」という。）に直交する方向の縦断面である。同図に示すように、スコロトロン方式の帯電器２は、帯電ワイヤ（放電ワイヤ）１１とグリッドワイヤ１２とシールド１３と帯電ワイヤ１１に一次電流を流す高圧電源１４とグリッドワイヤ１２にグリッドバイアスを印加するバイアス印加電源１５とを有している。
【００２３】
シールド１３は、断面コ字形の金属製の部材であり、その開口部１３ａが感光ドラム１表面に対面するように配置されている。帯電ワイヤ１１は、シールド１３の内側において、長手方向に沿って配設されている。グリッドワイヤ１２は、シールド１３の開口部１３ａにおいて、長手方向に配設された複数のワイヤによって構成されている。上述の帯電ワイヤ１１は、感光ドラム１に向かって放電するものであり、グリッドワイヤ１２は、帯電ワイヤ１１からの放電に強弱の分布が存在していた場合でも感光ドラム１に流れ込む電流を均一にするものである。このグリッドワイヤ１２の作用を整流作用という。
【００２４】
本実施の形態においては、帯電器２によって感光ドラム１表面を均一に帯電する際には、通常、帯電ワイヤ１１には１０００μＡの電流（一次電流）を流し、グリッドワイヤ１２には７００Ｖの電圧（グリッドバイアス）を印加している。これにより、感光ドラム１表面を４００Ｖに均一に帯電している。
【００２５】
上述の帯電器２において、帯電ワイヤ１１に流す一次電流の電流量を増加させるとドラム方向電流（帯電器２から感光ドラム１に向かう電流）が増加するため、感光ドラム１の表面電位（以下適宜「ドラム電位」という。）は上がる。グリッドワイヤ１２には帯電ワイヤ１１から感光ドラム１に流れようとする電流が一部流れ込んでいる。したがってグリッドバイアスを下げると帯電ワイヤ１１からグリッドワイヤ１２に流れ込む電流が増加し、結果としてドラム方向電流が減少し、ドラム電位は下がる。
【００２６】
このような関係から、図３に示すように一次電流とグリッドバイアスとを調整することで、同じ放電量又は同じドラム電位を得ようとしたときに、帯電ワイヤ１１の一次電流とグリッドバイアスとの組合せは複数存在する。例えば、同図中のＡ設定のように一次電流を１３００μＡ、グリッドバイアスを５００Ｖに設定した場合と、Ｂ設定のように一次電流を７００μＡ、グリッドバイアスを９００Ｖに設定した場合とで、ドラム電位はいずれの場合も４００Ｖである。
【００２７】
ただし、帯電ワイヤ１１の一次電流が増加すると感光ドラム１表面を帯電する際の周方向のスジ（帯電周ムラ）は低減するが、オゾンやＮＯｘの発生量が増加しその結果画像流れが発生しやすくる。さらに一次電流が増加し、帯電ワイヤ１１とグリッドワイヤ１２との電位差がリーク限界である１５００μＡを超えるとリークが始まってしまう。逆に一次電流が少なすぎると当然、放電電流やドラム電位は必要量が取れなくなる。同じ放電電流やドラム電位を保ちつつ帯電電流を減少させるときには、前述したようにグリッドバイアスを上げる必要がある。グリッドバイアスもリーク限界である１０００Ｖを超えると感光ドラム１などにリークしてしまう。
【００２８】
また、ドラム電位が同じ４００Ｖの場合でも一次電流が多くてグリッドバイアスが低いＡ設定の場合と、一次電流が少なくてグリッドバイアスが高いＢ設定の場合とでは、帯電ワイヤ１１とグリッドワイヤ１２の汚れなどによる帯電ムラの影響の出方が異なる。
【００２９】
前者のＡ設定の場合には一次電流のうちグリッドワイヤ１２へ流れ込む電流は多くなり、グリッドワイヤ１２の整流作用は大きくなる。したがって帯電ワイヤ１１が汚れているなどで放電ムラがあってもグリッドワイヤ１２の整流作用によって感光ドラム１の帯電ムラは少なくなる。しかし、グリッドワイヤ１２の整流作用が放電ムラを制御しているためグッリドワイヤ１２の汚れなどによる放電ムラが感光ドラム１の帯電ムラとして出やすくなる。
【００３０】
後者のＢ設定の場合にはグリッドワイヤ１２の整流作用は少なくなるため、グリッドワイヤ１２の汚れなどによる感光ドラム１の帯電ムラは少なくなる。一方、帯電ワイヤ１１の放電ムラはグリッドワイヤ１２の整流作用が少ないために感光ドラム１の帯電ムラとして出やすくなる。
【００３１】
Ａ設定とＢ設定とのうちのどちらに設定した場合でも画像上のスジの状態に変化が無ければ、原因は帯電ワイヤ１１でもグリッドワイヤ１２でもないことがわかる。
【００３２】
通常は上述のオゾンの発生やリークやスジを考慮して問題のない範囲に一次電流又はグリッドバイアス又はその双方をある値に設定する。ドラム電位の調整が必要な場合は一次電流かグリッドバイアスをコントロールすることによって行う。
【００３３】
前述したような、一次電流を増加してグリッドバイアスを下げた場合と、一次電流を減少させてグリッドバイアスを上げた場合とで、スコロトロン方式の帯電器２が原因のスジ状の画像の不具合の出方が異なることを利用して、同じ放電量又はドラム電位のときでも、Ａ設定の方がスジが悪い場合にはグリッドワイヤ１２、またＢ設定の方が悪い場合には帯電ワイヤ１１、どちらも変化がなければ帯電器２以外と切り分けることが可能となる。
【００３４】
この方法を使用して、画像上にスジ状の不具合が生じた場合の整備に必要とされる転写材Ｐの量（枚数）を減らす方法と、整備までにかかるダウンタイムを減らす方法を以下に詳述する。
【００３５】
本実施の形態では画像にスジが出た場合、スジの出ている原因を図４のフローチャートに従って特定する。事前の検討により、一次電流が１３００μＡでグリッドバイアスが５００Ｖの場合（Ａ設定）と、一次電流が７００μＡでグリッドバイアスが９００Ｖの場合（Ｂ設定）はともにドラム電位が４００Ｖになることが分かっている。これを利用して、図５に示すように、Ａ３サイズのハーフトーン画像を形成している前半半分（Ａ３画先〜中央）は帯電ワイヤ１１の電流量を増加して１３００μＡ流し、グリッドバイアスを下げて５００Ｖ印加する（Ａ設定）。次に後半半分（中央〜Ａ３後端）では帯電ワイヤ１１の一次流量を減少させて７００μＡ流し、グリッドバイアスを上げて９００Ｖ印加する（Ｂ設定）。Ａ設定の場合も、Ｂ設定の場合も、ドラム電位は４００Ｖとなる（図４のＳ１）。
【００３６】
ここで、形成されたＡ３のハーフトーン上にはスジが出ているとする。図４のフローチャートに従うと、Ａ設定とＢ設定とでスジが同じ場合（Ａ＝Ｂ）は、ステップＳ２の「Ｙｅｓ」であり、スコロトロン方式の帯電器２以外が原因であると特定される。
【００３７】
これに対して、前半のＡ設定の方が後半のＢ設定よりもスジが濃く出ていた場合（Ａ＞Ｂ）は、ステップＳ４の「Ｙｅｓ」であり、この画像上のスジの原因はスコロトロン帯電器２であり、さらにグリッドワイヤ１２であると特定される。一方、後半のＢ設定の方が前半のＡ設定よりもスジが濃く出ていた場合（Ａ＜Ｂ）は、ステップＳ４の「Ｎｏ」であり、その原因は帯電ワイヤ１１であると特定される。
【００３８】
このように、ある画像形成中にドラム電位が一定となるような、帯電ワイヤ１１の一次電流とグリッドバイアスとの組み合わせを２組以上設定して画像を形成し、スジの出方の違いを確認することで、従来のように帯電器２を交換してのスジの発生源の確認や、その発生源が帯電器２と分かった後にさらに帯電ワイヤ１１かグリッドワイヤ１２かを目視で確認することなく、転写材Ｐを１枚使用するだけで発生源をその詳細まで限定することが可能となる。
【００３９】
また、本実施の形態中ではＡ３サイズ１枚でスジの発生源を特定する方法を述べたが、例えばＡ４サイズの１枚目でＡ設定、２枚目でＢ設定というように複数枚にまたがって画像を出力、発生源の特定を行っても良い。
【００４０】
＜実施の形態２＞
本実施の形態では、形成された画像のスジの解析結果に基づいて、一次電流及びグリッドバイアスを自動調整し、またユーザやとサービスマンへの通知を行うようにした。
【００４１】
以下、図６のフローチャートに従って説明する。
【００４２】
ユーザが画像上にスジ状の不具合を確認した際に、メンテナンスモードで画像を出力する（Ｓ１１）。メンテナンスモードは、図７に示すように、一次電流とグリッドバイアスを調整パラメータのα設定（一次電流１５００μＡ、グリッドバイアス４５０Ｖ）からβ設定（一次電流５００μＡ、グリッドバイアス９５０Ｖ）まで連続的に変化させてＡ３サイズのハーフトーンを画像形成する。
【００４３】
ただし、この条件で一次電流とグリッドバイアスを変化させた場合には、ドラム電位は４００Ｖの一定に保たれることが事前の検討でわかっている。このとき、調整パラメータのα設定のときの状態は、一次電流１５００μＡは帯電ワイヤ１１からリークしないギリギリの値であり、グリッドバイアス４５０Ｖはドラム電位が４００Ｖとなる値である。β設定の状態は、グリッドバイアス９５０Ｖはグリッドワイヤ１２からリークしないギリギリの値であり、一次電流５００μＡは感光ドラム電位が４００Ｖとなる値である。帯電後は実施の形態１と同様の方法で転写材Ｐに画像を形成する（Ｓ１１）。
【００４４】
次に前述のようにメンテナンスモードにて転写材Ｐに形成された画像を入力装置（不図示）に置き、解析装置（不図示）へ画像を送信する（Ｓ１２）。このとき同時に、画像形成装置がその画像を出力したときのスコロトロン方式の帯電器２の一次電流とグリッドバイアスのデータも解析装置へ送信する。解析装置はある位置に特定のスジが出ていないかを確認し、出ている場合は調整パラメータがα設定とβ設定のどちらの設定の方がスジが濃く出ているか判断し、スジが帯電ワイヤ１１によるものか、グリッドワイヤ１２によるものか、スコロトロン方式の帯電器２以外のものかを判断する（Ｓ１３）。
【００４５】
調整パラメータがαとβに設定されたときのスジの状態に変化がないときはスコロトロン帯電器２以外が原因と判断し（Ｓ１４の「Ｎｏ」）、遠隔で処置が可能な場合には行い、不可能な場合にはユーザとサービスマンにその旨を通知し（Ｓ１５）、サービスマンが処置を行う（Ｓ１６）。
【００４６】
一方、スジの原因がスコロトロン方式の帯電器２である場合（Ｓ１４の「Ｙｅｓ」）には、一次電流とグリッドバイアスを解析装置が、以下のように、遠隔で設定する（Ｓ１７）。
【００４７】
調整パラメータがβのときの方がスジが悪い場合には帯電ワイヤ１１が原因と判断し、スジのレベルが設定された許容レベル以下になるように調整パラメータを図７中のｒｅｆよりもα側のα１に設定する。つまり一次電流をｒｅｆの１０００μＡから増加させ１３００μＡに、グリッドバイアスをｒｅｆの７００Ｖから５００Ｖに下げることで帯電ワイヤ１１によるスジを低減させる。逆に調整パラメータがα側のときの方がスジが悪い場合にはｒｅｆよりβ側のβ１（一次電流７００μＡ、グリッドバイアス９００Ｖ）に設定することで、グリッドワイヤ１２によるスジを低減することができる。このとき、調整パラメータを一気にαやβに設定しないのは、オゾンの発生量や帯電の周ムラを考慮したとき、ｒｅｆの状態がバランスが良く、αやβのように調整パラメータを調整可能な一番端に設定するとオゾンの発生量が増えたり、帯電の周ムラが悪化したりするからである。
【００４８】
上述の解析装置による遠隔での設定によって、スジが許容レベルまで低減できたときには（Ｓ１８の「Ｙｅｓ」）、サービスマンにその機械の残りの調整可能な調整パラメータがあとどの程度余裕があるかを通知する（Ｓ２１）。具体的には、前述のα１に設定した場合には一次電流は残り＋２００μＡ、グリッドバイアスは−５０Ｖ調整可能であると通知し、β１の場合にも一次電流は残り−２００μＡ、グリッドバイアスは＋５０Ｖ調整可能であると通知する。
【００４９】
一次電流とグリッドバイアスの調整を行っても帯電ムラが許容量レベルまで低減できない場合（Ｓ１８の「Ｎｏ」）には、ハード構成上スジが低減できる限界、つまりスジの原因によって調整パラメータをα、又はβに一次電流とグリッドバイアスを解析装置が遠隔で設定してスジ低減モードで動作させる。これでも許容レベルまで低減できないときは、ユーザにはスジの原因や処置の状況を通知する。また、サービスマンにもその旨を通知すると同時に処置を行うように通知し（Ｓ１９）、サービスマンが処置を行う（Ｓ２０）。
【００５０】
このように、一次電流とグリッドバイアスとを振って形成された画像を入力装置に読み込ませ、画像解析してスジの発生個所を特定することで、サービスマンが手を介することなく帯電器２によるスジを軽減させることが可能になる。さらに、外部に画像を送信して外部で画像を解析することで、常に新しい方法で解析できるため、解析精度を高く保つことができ、対応も常にそのときの最高の状態を保つことができる。また、解析の結果をサービスマンに知らせることで事前に対応を知ることができスムーズに整備をすることが可能となる。さらには、一次電流やグリッドバイアスの調整で消せないようなスジが発生した場合においても、ユーザに確認を取った上でスジ低減モードに入ることで、サービスマンが対応するまでのダウンタイムを短縮することができる。
【００５１】
【発明の効果】
以上説明したように、本発明によると、帯電手段が帯電ワイヤとグリッドワイヤとを有するスコロトロン方式の帯電器であり、この帯電器は、帯電ワイヤに流す一次電流とグリッドワイヤに印加するグリッドバイアスとについて、像担持体の表面電位を一定にするための一次電流とグリッドバイアスとの２種類以上の組み合わせを出力可能であるので、その２種類以上の組み合わせて画像を出力することにより、画像上のスジが帯電ワイヤに起因するものか、グリッドワイヤに起因するものか、そのいずれでもないかを簡単に特定することができる。
【図面の簡単な説明】
【図１】実施の形態１の画像形成装置の概略構成を模式的に示す縦断面図である。
【図２】スコロトロン方式の帯電器の構成を示す拡大縦断面図である。
【図３】実施の形態１において、ドラム電位を固定したときの、一次電流とグリッドバイアスとスジのレベルとの関係を説明する図である。
【図４】実施の形態１において、スジの発生箇所を特定するためのフローチャートである。
【図５】実施の形態１において、解析用の画像出力の帯電条件を説明する図である。
【図６】実施の形態２において、画像に不具合が発生してからサービスマンが処置するまでの流れを示すフローチャートである。
【図７】実施の形態２において、ドラム電位を固定したときの、一次電流とグリッドバイアスとスジのレベルとの関係を説明する図である。
【符号の説明】
１          像担持体（感光ドラム）
２          帯電手段（帯電器）
３          露光手段（露光装置）
４          現像手段（現像装置）
５          転写帯電器
６          分離帯電器
１１        帯電ワイヤ
１２        グリッドワイヤ
１３        シールド
１４        高圧電源
１５        バイアス印加電源
Ｐ          転写材
【図１】
2004205847.tif 000003
【図２】
2004205847.tif 000004
【図３】
2004205847.tif 000005
【図４】
2004205847.tif 000006
【図５】
2004205847.tif 000007
【図６】
2004205847.tif 000008
【図７】
2004205847.tif 000009